(57)【要約】三脚取付け用アダプタ取付け部が設けられた第２連結部を、対物レンズ側に配置された第１連結部と光軸方向に所定の空間を介して接眼レンズ側の双眼鏡の重心位置近傍に配置し、アダプタを介して双眼鏡を三脚に取付けたときのブレを防止する双眼鏡。
2008084877.tif 000002
【特許請求の範囲】
【請求項１】
接眼レンズと対物レンズとを備えた望遠光学系を各々の内部に保持する一対の鏡筒と、
前記一対の鏡筒を連結する第１及び第２連結部とで構成され、
前記第１連結部は前記望遠光学系の光軸方向で前記対物レンズ側に配置され、前記第２連結部は、前記第１連結部と前記光軸方向に所定の空間を介して前記接眼レンズ側に配置された双眼鏡において、
前記第２連結部は三脚取付け用のアダプタ取付け部が設けられていることを特徴とする双眼鏡。
【請求項２】
前記三脚取付け用のアダプタ取付け部が前記第２連結部の前記第１連結部側端面に位置していることを特徴とする請求項１記載の双眼鏡。
【請求項３】
前記一対の鏡筒に各々保持された前記望遠光学系の各々は、前記接眼レンズと前記対物レンズとの間で前記鏡筒に保持された正立プリズムを備えており、
前記第２連結部は、前記第１連結部よりも前記正立プリズムが保持された位置に近い位置で、前記一対の鏡筒を連結していることを特徴とする請求項１に記載の双眼鏡。
【請求項４】
前記第２連結部は、屈曲可能な関節構造を有し、前記関節構造の軸と同軸に前記アダプタ取付け部が設けられていることを特徴とする請求項１に記載の双眼鏡。
【発明の詳細な説明】
【技術分野】
【０００１】
この発明は双眼鏡に関する。
【背景技術】
【０００２】
従来、双眼鏡を三脚に取り付けるには三脚取付け用のアダプタ（以下、単にアダプタという。）が用いられる。アダプタはアダプタ取付けねじで双眼鏡に取り付けられる。アダプタ取付けねじは左右の鏡筒を連結する連結部に螺合されるのが一般的である。それは望遠光学系の構成に影響を与えず、しかも双眼鏡を構えたときに観察の邪魔にならないようにするためである。連結部の強度や眼幅調整時の光軸精度を保つため、連結部の光軸方向の寸法は大きい。また、連結部には焦点合わせのためのフォーカスノブが配置される。フォーカスノブは双眼鏡を構えたときに操作し易いように眼に近い側、すなわち接眼レンズ側に配置されることが多い。そのため、アダプタ取付けねじは連結部の眼から遠い側、すなわち対物レンズ側に配置されることになる（例えば、日本国特開２００２−７２１０４号公報参照）。
ところで、双眼鏡の重心位置は対物レンズより眼に近い側にある。特に、正立プリズムを有する双眼鏡ではその重心はより眼に近くなる。したがって、連結部の眼から遠い端面にアダプタ取付けねじを配置すると、双眼鏡の重心から離れた位置にアダプタが取り付けられることになり、アダプタを介して双眼鏡を三脚に取り付けたとき、三脚に取り付けられた双眼鏡が不安定になる。その結果、風や地面から伝わる振動、または観察者が触れることに起因して双眼鏡がブレ易くなり、更にブレが収まりにくいという問題があった。また、双眼鏡を向ける方向を修正する場合など、双眼鏡の姿勢を変更する時に双眼鏡の姿勢の調整がやりにくいという問題もあった。
【発明の開示】
【０００３】
この発明はこのような事情に鑑みてなされたもので、その目的はアダプタを介して三脚に双眼鏡を取り付けたときに、ブレの影響なく観察できる双眼鏡を提供することである。
前述の目的を達成するため本発明は、接眼レンズと対物レンズとを備えた望遠光学系を各々の内部に保持する一対の鏡筒と、前記一対の鏡筒を連結する第１及び第２連結部とで構成され、前記第１連結部は前記望遠光学系の光軸方向で前記対物レンズ側に配置され、前記第２連結部は、前記第１連結部と前記光軸方向に所定の空間を介して前記接眼レンズ側に配置された双眼鏡において、前記第２連結部は三脚取付け用のアダプタ取付け部が設けられていることを特徴とする。
この発明によれば、アダプタを介して三脚に双眼鏡を取り付けたときに、ブレの影響なく観察できる双眼鏡を提供することができる。
【図面の簡単な説明】
【０００４】
図１は、この発明の一実施形態に係る双眼鏡の平面図である。
図２は、双眼鏡に三脚取付け用のアダプタを装着した状態を示す側面図である。
図３は、双眼鏡に三脚取付け用のアダプタを装着した状態で、図１と同じ方向から見たアダプタ取付けねじ近傍の部分断面図である。
図４は、双眼鏡の一方の鏡筒にカメラ取付け用のアダプタを介してカメラを接続した状態を示す平面図である。
【発明を実施するための最良の形態】
【０００５】
以下この発明の実施の形態を図面に基づいで説明する。
図１はこの発明の一実施形態に係る双眼鏡の平面図であり、その双眼鏡の一部を破断して示す。
この双眼鏡は、望遠光学系を各々の内部に保持する左右一対の鏡筒１０，２０と、両鏡筒１０，２０を連結して並置する連結部３０とを備えている。
鏡筒１０は、対物レンズ１１、接眼レンズ１２、対物レンズ１１と接眼レンズ１２との間の光路中に配置された正立プリズム１３を保持しており、対物レンズ１１と接眼レンズ１２と正立プリズム１３とで望遠光学系を構成している。また、鏡筒２０は、対物レンズ２１、接眼レンズ２２、対物レンズ２１と接眼レンズ２２との間の光路中に配置された正立プリズム２３を保持しており、対物レンズ２１と接眼レンズ２２と正立プリズム２３とで望遠光学系を構成している。正立プリズム１３，２３はガラスブロックで構成されている。
連結部３０は第１連結部３１と第２連結部３５とで構成される。
第１連結部３１は光軸方向の対物レンズ側で対物レンズ１１，２１の近傍において鏡筒１０，２０とを連結している。第１連結部３１は鏡筒１０，２０にそれぞれ一体的に設けられた連結部材３１ａ，３１ｂ、中心軸部材（図示せず）及びワッシャ（図示せず）で構成されている。連結部材３１ａ，３１ｂは、両鏡筒１０，２０の中央で眼幅調整のため軸ＭＡを中心に回動できるように中心軸部材（図示せず）を介して接続されている。連結部材３１ａ，３１ｂはトルクナット（図示せず）を締め付けることによって連結部材３１ａ，３１ｂ及びワッシャ（図示せず）との間に摩擦力が発生する。トルクナットにはキャップ３３が装着されている。
連結部材３１ａ、３１ｂを中心軸部材（図示なし）を介して接続する上記の構成は、後述する第２連結部の接続部材３５ａ、３５ｂと中心軸部材３６との接続と同様であり、第２連結部と同様の作動をする。
第２連結部３５は、第１連結部３１と光軸方向に所定の空間を介して接眼レンズ１２，２２側において両鏡筒１０，２０を連結している。第２連結部３５は、正立プリズム１３，２３の近傍で鏡筒１０，２０にそれぞれ一体的に設けられた連結部材３５ａ、３５ｂを連結している。正立プリズム１３，２３の近傍で第２連結部３５が両鏡筒１０，２０を連結しているので、第２連結部３５は、鏡筒１０，２０及び連結部３０からなる双眼鏡の重心位置近傍に位置する。
第２連結部３５は鏡筒１０，２０にそれぞれ一体的に設けられた連結部材３５ａ、３５ｂ、中心軸部材３６及びワッシャ３５ｄで構成されている。連結部材３５ａ，３５ｂは眼幅調整のため軸ＭＡを中心に回動できるように中心軸部材３６を介して接続されている。連結部材３５ａ，３５ｂにはそれぞれ光軸方向の孔３５ａ−１，３５ｂ−１が形成されている。連結部材３５ａの孔３５ａ−１と連結部材３５ｂの孔３５ｂ−１とを光軸方向で同軸上に連なるように孔３５ａ−１と孔３５ｂ−１とに中心軸部材３６が挿入されている。こうして中心軸部材３６は連結部材３５ａ、３５ｂの孔３５ａ−１，３５ｂ−１に嵌合して、連結部材３５ａ、３５ｂを中心軸部材３６周りに回動可能に支持している。中心軸部材３６の外周側で連結部材３５ａと連結部材３５ｂとの間にはワッシャ３５ｄが介装されている。
中心軸部材３６の外周面に形成された雄ねじ３６ａにトルクナット３７を締め付けることによって連結部材３５ａがワッシャ３５ｄを挟んで光軸方向に連結部材３５ｂに押し付けられ、連結部材３５ａ，３５ｂ及びワッシャ３５ｄとの間に摩擦力が発生する。この摩擦力は左右の鏡筒１０，２０の重量に打ち勝って左右の鏡筒１０，２０のなす角度を任意の角度に保持できるとともに、所定の外力を加えることにより軸ＭＡを中心として左右の鏡筒１０，２０を回動させることができる程度の大きさである。このように、第２連結部は、中心軸部材３６と連結部材３５ａ，３５ｂと中心軸部材３６とワッシャ３５ｄとで形成された関節構造を有しており、軸ＭＡを中心として連結部材３５ａと連結部材３５ｂとを任意の角度に屈曲させることが可能となっている。
したがって、左右の鏡筒１０，２０を軸ＭＡを中心として回動させることによって眼幅を調整することができる。
トルクナット３７の外周面にはキャップ３８が装着されている。キャップ３８には紐（図示せず）が取り付けられていて、紐の他方側は第２連結部３５の一部に固定されている。
中心軸部材３６の内周には三脚取付け用のアダプタ（以下、単にアダプタという。）取付けねじ３９が設けられている。アダプタ取付けねじ３９は中心軸部材３６の内周面に形成された雌ねじである。アダプタ取付けねじ３９は軸ＭＡと同軸に形成されている。
第２連結部３５の接眼レンズ１２，２２側には焦点合わせのためのフォーカスノブ４０が設けられている。
図２は双眼鏡にアダプタ５０を装着した状態を示す側面図である。又、図３は、双眼鏡にアダプタ５０を装着した状態で、図１と同じ方向から見たアダプタ取付けねじ３９近傍の部分断面図である。
アダプタ５０は、アダプタ本体５１とねじ部材５２と抜け止め用ワッシャ５３とで構成されている。
アダプタ本体５１はＬ字状であり、垂直部５１ａと水平部５１ｂとを有する。
垂直部５１ａに形成された孔５１ｃには、ねじ部材５２が回転可能に装着されている。ねじ部材５２にはアダプタ取付けねじ３９に螺合可能な雄ねじ部５２ｂが形成されている。ねじ部材５２の雄ねじ部５２ｂには、ねじ部材５２がアダプタ本体５１から抜け落ちないように抜け止め用ワッシャ５３が装着されている。抜け止め用ワッシャ５３にはねじ溝が切られていて、抜け止め用ワッシャ５３とねじ部材５２とで、ねじ部材５２がアダプタ本体５１から抜け落ちないようになっている。
水平部５１ｂにはアダプタ本体５１を三脚（図示せず）に取り付ける雌ねじ５１ｄが形成されている。
アダプタ５０の使用方法を説明する。
まず、アダプタ本体５１の雌ねじ５１ｄに雄ねじを挿通し、アダプタ５０を三脚に取り付ける。
次に、第２連結部３５のキャップ３８を外す。なお、キャップ３８は紐（図示せず）によって第２連結部に取り付けられているので、三脚を取り付けて双眼鏡を使用している間も外したキャップ３８を別の場所に保管しておく手間が省ける。
その後、ねじ部材５２の雄ねじ部５２ｂをアダプタ取付けねじ３９にねじ込む。
その結果、双眼鏡がアダプタ５０を介して三脚に取り付けられる。
この実施形態によれば、アダプタ５０は左右の鏡筒１０，２０が第１、第２連結部３１，３５で連結された双眼鏡の第２連結部３５に装着されることになるので、アダプタ５０を介して双眼鏡を三脚に取り付けたときに、双眼鏡は従来例よりも重心近傍で三脚に支持される。このため、双眼鏡のブレを防止することができる。つまり、風や地面から伝わる振動、または観察者が触れることに起因する双眼鏡の大きな振幅の振動を早く収束させることができ、振動に影響なく観察することができる。更に、双眼鏡を向ける方向を修正する場合など、三脚に取り付けられた状態で双眼鏡の姿勢を変更する時の双眼鏡の姿勢の調整が容易になり、姿勢が取り易くなる。
また、本実施形態では、双眼鏡の少なくとも一方の鏡筒にカメラ取付け用のアダプタを介して電子スチルカメラなどの撮影機器を接続することができる。その様子を図４に示した。
一方の鏡筒２０の接眼レンズ２２側にアダプタ５５を介してカメラ６０を接続した。このときの重心位置は、円で図示したようにカメラ６０を接続していない場合に比べて接眼レンズ２２側に移動する。しかしその重心位置は、図４に図示するように、アダプタ取付けねじ３９の近傍となる。
一方、従来のように第１連結部に三脚取付け用のアダプタを取り付けた場合では、カメラ接続時には、アダプタ取付け位置と重心との距離が更に大きく離れてしまうため、双眼鏡のブレ、すなわち風や地面から伝わる振動、または観察者がカメラに触れることに起因する双眼鏡の大きな振幅の振動の収まりが悪くなり、低速度のシャッタースピードで撮影することが不可能となってしまう。しかし、本発明のように第２連結部３５にアダプタ５０を接続できれば、アダプタ５０の取付け位置とカメラを装着した時の重心との距離を短くできるため、このような影響を低減することが可能となる。その結果、低速度のシャッタースピードで撮影することが可能となる。なお、カメラ６０の取付けは、図４とは反対側の鏡筒１０に取り付けるようにしても構わない。
本実施形態では、第２連結部の光軸方向の２箇所の端面の内、対物レンズ側にアダプタの取付け部であるアダプタ取付けねじ３９が設けてあるが、第２連結部の中央部（例えば、第２連結部の下面）に取付け部を設けてもよい。
【図１】
2008084877.tif 000003
【図２】
2008084877.tif 000004
【図３】
2008084877.tif 000005
【図４】
2008084877.tif 000006
【国際調査報告】
2008084877.tif 000007
2008084877.tif 000008
2008084877.tif 000009
2008084877.tif 000010